(57)【要約】      （修正有）【課題】軽量且つ簡単な構成でテープダメージの発生しにくい磁気記録再生装置を提供する。【解決手段】シリンダが配されているメインシャーシ５０と、カセットを装着可能なサブシャーシ１８の二つのシャーシが存在する磁気記録再生装置で、Ｔ３ポストアーム５８が、サブシャーシ１８に回動自在に装着され、またＴ３ポストアーム５８を位置決め可能な溝部１８ａがサブシャーシ１８に形成されており、Ｔ３ポストアーム５８は、ロード完了位置に至る迄のロード途中において、サブシャーシ１８上にて一定範囲回動して磁気テープ１２の引き出しを行い、位置決め部５８ａが溝部１８ａに係合されることにより位置決めされている。【選択図】図４
2008217849.tif 000002
【特許請求の範囲】
【請求項１】
磁気ヘッドが搭載されているシリンダが配されているメインシャーシと、
磁気テープが巻装されているテープカセットを装着可能なサブシャーシと、
前記サブシャーシに回動自在に配され前記磁気テープをカセット内から引き出す第１のテープ引き出し手段を含む、複数のテープ引き出し手段とを備え、
前記テープ引き出し手段によって前記テープカセットから前記磁気テープを引き出し、前記シリンダに巻回する磁気記録再生装置であって、
前記第１のテープ引き出し手段に形成されている位置決め部と、
前記サブシャーシに形成され、前記位置決め部と係合可能な位置決め部材とを備え、
前記サブシャーシに前記テープカセットが装着され、前記磁気テープが引き出されていない状態をアンロード状態とし、
前記テープ引き出し手段によって前記テープカセットから前記磁気テープが引き出され、前記シリンダへの巻回が完了した状態をロード完了位置とし、
前記サブシャーシが、前記アンロード位置にて前記テープカセットが装着された後、前記ロード完了位置へと移行する際、前記シリンダに近づく方向にメインシャーシに対し相対運動を行って移動する期間をロード途中とした時、
前記第１のテープ引き出し手段は、
前記ロード完了位置に至る迄のロード途中において、前記サブシャーシ上にて一定範囲回動して前記磁気テープの引き出しを行い、前記位置決め部が前記位置決め部材に係合されて位置決めされることを特徴とする磁気記録再生装置。
【請求項２】
前記第１のテープ引き出し手段は、
前記サブシャーシに回動自在に軸支され、前記サブシャーシの主面に対して略平行な回動軌跡を有するアームと、
前記アームの一端に配され、前記磁気テープが巻回されるポストとを備え、
前記位置決め部は、前記アームにおける前記ポストの近傍に一体形成され、
前記位置決め部材は、
前記サブシャーシにおいて、その主面から略垂直方向に立設された縦壁と、
前記縦壁の壁面に形成された溝部とを備え、
前記アームのロード途中において、前記溝部に前記位置決め部が係合されるように構成されている、請求項１記載の磁気記録再生装置。
【請求項３】
前記溝部は、
略Ｖ字型の溝で形成されている、請求項２記載の磁気記録再生装置。
【発明の詳細な説明】
【技術分野】
【０００１】
本発明は、小型軽量で生産性の優れた磁気記録再生装置に関する。
【背景技術】
【０００２】
近年、磁気テープを内包したテープカセットを情報媒体として利用するビデオカメラに代表される磁気記録再生装置は、小型軽量化、低コスト、高信頼性が望まれている。以下、従来の磁気記録再生装置について、特許文献１に開示されている構成をもとに説明する。
【０００３】
図５及び図７は、カセット着脱可能状態（以下、アンロード状態と呼ぶ）での従来の磁気記録再生装置の平面図である。図５及び図７では、図を見やすくするために幾つかの部品を省略して描画している。
【０００４】
カセット１１０は、Ｓリール１１３及びＴリール１１９が回転自在に収容されている。Ｓリール１１３及びＴリール１１９には、磁気テープ１１２が巻回され、Ｓリール１１３及びＴリール１１９間に張架されている。本例のカセット１１０は、ＤＶフォーマットに準拠したミニＤＶカセットとしているが、少なくとも磁気テープが収納されているものであれば、他のカセットであってもよい。
【０００５】
本例の磁気記録再生装置に備える各部品は、サブシャーシ１１８またはメインシャーシ５０に配されている。メインシャーシ１５０は機器に固定され、サブシャーシ１１８はメインシャーシ１５０に対してスライド可能に配されている。さらに具体的には、サブシャーシ１１８は、メインシャーシ１５０の上面においてスライド可能である。
【０００６】
サブシャーシ１１８は、カセット１１０が装着される。また、サブシャーシ１１８は、メインシャーシ１５０の両サイドに構成されたガイド部（図示せず）によってガイドされ、矢印ＡまたはＢ方向に移動可能となっている。
【０００７】
Ｓリール台１２０、Ｔリール台１２２は、サブシャーシ１１８上に回転自在に設けられ、それぞれＳリール１１３、Ｔリール１１９と係合する。
【０００８】
テンションアーム１２４は、テンションアーム軸１２６に対して回動自在にサブシャーシ１１８に設けられており、一端にテンションポスト１２８が設けられている。
【０００９】
テンションポスト１２８は、図６及び図８に示すテープ再生または記録状態（以下、ローディング状態と呼ぶ）においては、磁気テープ１１２が巻装され、テンションバンド１３０が巻装されたＳリール台１２０の回転トルクを制御する。
【００１０】
Ｓボート１３２、Ｔボート１３４は、磁気テープ１１２をカセット１１０内から引き出したり、カセット１１０内へ戻したりすることができる。Ｓボート１３２には、Ｓ１ポスト１３６が配されている。Ｔボート１３４には、Ｔ１ポスト１３８及びＴ２ポスト１４０が配されている。Ｓボート１３２及びＴボート１３４は、図６及び図８のローディング状態においては、ガイド溝１４２及び１４４に沿って磁気テープ１１２をカセット１１０から引き出し、シリンダ１４６の円筒面に巻装する。
【００１１】
ピンチアーム１４８は、メインシャーシ１５０に回動自在に支持され、一端にピンチローラ１５２を具備している。ピンチアーム１４８は、図６及び図８のローディン状態に至るまでは時計回りに回動し、メインシャーシ１５０に設けられたキャプスタン１５４のキャプスタン軸１５６にピンチローラ１５２を磁気テープ１１２を圧着ばね（図示せず）によって圧着する構造になっている。
【００１２】
Ｔ３ポストアーム１５８は、回動軸１５９によってサブシャーシ１１８に回動自在に軸承されている。Ｔ３ポストアーム１５８の一端にはＴ３ポスト１６０が配され、他端にはカムピン１６１が形成されている。カムピン１６１は、メインシャーシ１５０に構成されたカム溝１５１に移動自在に嵌合している。これにより、サブシャーシ１１８が矢印Ａ方向に移動して図６及び図８に示すローディング状態に移行する際、Ｔ３ポストアーム１５８を時計回りに回動させて先端のＴ３ポスト１６０が磁気テープ１１２をカセット１１０から引き出し、キャプスタン軸１５６に巻装させる。
【００１３】
キャプスタン１５４のハウジング１７２は、Ｔ３ポストアーム１５８の先端部１６３を挟んで位置決めするためのＶ溝１７１が形成されている。
【００１４】
Ｔ３ポストアーム１５８の先端部１６３は、サブシャーシ１１８が矢印Ａ方向にローディングすることで矢印Ａ方向に移動し、図９及び図１０に示すようにＶ溝１７１に係合して高さ規制される。
【００１５】
これら一連の動作は、ローディングモータ１５２の回転によってサブシャーシ１１８が矢印ＡおよびＢ方向へ移動する際に、それぞれカム（図示せず）によって駆動され、図６及び図８に示すローディング状態へと移行する。
【００１６】
キャプスタン１５４の構造は、ハウジング１７２にモータのステータ１７４が固定され、ロータ１７６が取り付けられたキャプスタン軸１５６が回転自在に軸承されている。
【００１７】
キャプスタン１５４は、メインシャーシ１５０の背面に絞り加工で構成された背面壁１７８にビス１８０で固定されたハウジング１７２に支持されている。
【００１８】
図１１は、図６及び図８に示すローディング状態でのキャプスタン軸１５６を正面から見た図である。磁気テープ１１２の走行の調整は、図１１に示すように、ハウジング１７２を背面壁１７８に対して矢印ＤまたはＥ方向に回転させて調整する。
【特許文献１】特開平２００４−２８８２３９号公報
【発明の開示】
【発明が解決しようとする課題】
【００１９】
しかしながら特許文献１に開示された構成では、サブシャーシ１１８が矢印Ａ方向へ移動し、アンローディング状態からローディング状態へ移行する際（以下ロード途中と呼ぶ）に、磁気テープ１１２に大きなテンションが発生した時など、Ｔ３ポスト１６０に矢印Ｆ方向へ大きな力が発生し、Ｔ３ポストアーム１５８が変形するという問題があった。また、Ｔ３ポスト１６０の位置が正規の位置からずれ、テープダメージが発生する状況となっていた。
【００２０】
また、磁気テープ１１２に大きな力が発生しない通常状態においても、テープ引き出しの際のテープダメージを回避するために、ロード途中のＴ３ポスト１６０の傾きは高精度に維持することが必要である。しかしながら、Ｔ３ポストアーム１５８の回動軸１５９には、Ｔ３ポストアーム１５８を回動自在とするため隙間が存在し、この隙間のバラツキのため、ロード途中のＴ３ポスト１５８の傾きを高精度に維持することが困難である。従って、回動軸１５９の部材群を極めて高い寸法精度で形成する必要があり、コストアップの要因となる問題を有していた。
【００２１】
本発明は、上記問題点を鑑み、軽量且つ簡単な構成でテープダメージの発生しにくい磁気記録再生装置を提供することを目的とする。
【課題を解決するための手段】
【００２２】
上記課題をするために本発明の磁気記録再生装置は、磁気ヘッドが搭載されているシリンダが配されているメインシャーシと、磁気テープが巻装されているテープカセットを装着可能なサブシャーシと、前記サブシャーシに回動自在に配され前記磁気テープをカセット内から引き出す第１のテープ引き出し手段を含む、複数のテープ引き出し手段とを備え、前記テープ引き出し手段によって前記テープカセットから前記磁気テープを引き出し、前記シリンダに巻回する磁気記録再生装置であって、前記第１のテープ引き出し手段に形成されている位置決め部と、前記サブシャーシに形成され、前記位置決め部と係合可能な位置決め部材とを備え、前記サブシャーシに前記テープカセットが装着され、前記磁気テープが引き出されていない状態をアンロード状態とし、前記テープ引き出し手段によって前記テープカセットから前記磁気テープが引き出され、前記シリンダへの巻回が完了した状態をロード完了位置とし、前記サブシャーシが、前記アンロード位置にて前記テープカセットが装着された後、前記ロード完了位置へと移行する際、前記シリンダに近づく方向にメインシャーシに対し相対運動を行って移動する期間をロード途中とした時、前記第１のテープ引き出し手段は、ロード完了位置に至る迄のロード途中において、前記サブシャーシ上にて一定範囲回動して前記磁気テープの引き出しを行い、前記位置決め部が前記位置決め部材に係合されて位置決めされるものである。
【発明の効果】
【００２３】
本発明によれば、テープ引き出し時に大きな力が第１のテープ引き出し部材に印加されたとしても、第１のテープ引き出し部材の変形を防止することができ、テープダメージを回避することができる。
【００２４】
また、テープ引き出し部材に必要以上の強度が必要でなくなり、軽量化、コストダウンを図ることができる。
【００２５】
また、テープダメージを回避しつつ、高精度が不必要となることによるコストダウンを図ることができる。
【発明を実施するための最良の形態】
【００２６】
本発明の磁気記録再生装置は、前記第１のテープ引き出し手段は、前記サブシャーシに回動自在に軸支され、前記サブシャーシの主面に対して略平行な回動軌跡を有するアームと、前記アームの一端に配され、前記磁気テープが巻回されるポストとを備え、前記位置決め部は、前記アームにおける前記ポストの近傍に一体形成され、前記位置決め部材は、前記サブシャーシにおいて、その主面から略垂直方向に立設された縦壁と、前記縦壁の壁面に形成された溝部とを備え、前記アームのロード途中において、前記溝部に前記位置決め部が係合されるように構成されている構成とすることができる。
【００２７】
この構成により、サブシャーシにアームの先端に係合する溝部を形成することにより、ロード途中に於いてもアームを保持することができ、テープ引き出し時に大きな力がポストに働いた場合にもポストの変形を防止することができ、ロード途中のテープダメージを回避することができる。また、アームへの異常な力が働くことを防止できるため、アームに必要以上の強度が必要でなくなり、軽量化及びコストダウンを図ることができる。また、アームの回動軸部に高い精度を要求することなくロード途中のポストの傾きを精度良く維持することができるため、テープダメージを回避しつつ、高精度が不必要となることによるコストダウンを図ることができる。
【００２８】
また、前記溝部は、略Ｖ字型の溝で形成されている構成とすることができる。この構成により、アームが回動して位置決め部を溝部に係合させる際、位置決め部を確実に係合させることができる。
【００２９】
（実施の形態１）
図１Ａは、実施の形態１における磁気記録再生装置がカセット着脱状態（以下、「アンロード状態」、「アンローディング状態」、または「アンローディング位置」と呼ぶ）にある時の平面図である。図１Ｂは、図１Ａを矢印Ｚ側から見た側面図である。図２Ａ及び図２Ｂは、ローディング途中またはアンローディング途中の状態を示す。図３Ａ及び図３Ｂはテープ引き出し状態（以下、「ロード状態」、「ローディング状態」、または「ローディング位置」と呼ぶ）を示す。なお、図１〜図３において、図を見やすくするために幾つかの部品の描画を省略した。図４は、Ｔ３ポスト近傍を図２Ａにおける矢印Ｃ方向から見た矢視図である。なお、図４において、Ｔ１ポスト３８及びＴ２ポスト４０はＴボート３４に配されているものであるが、図示の簡略化のため描画を省略した。
【００３０】
図１〜図３において、カセット１０は、Ｓリール１３及びＴリール１９が回転自在に収容されている。Ｓリール１３及びＴリール１９には、磁気テープ１２が巻回され、Ｓリール１３及びＴリール１９間に張架されている。本実施の形態におけるカセット１０は、ＤＶフォーマットに準拠したミニＤＶカセットとしているが、少なくとも磁気テープが収納されているものであれば、他のカセットであってもよい。
【００３１】
本実施の形態の磁気記録再生装置に備える各部品は、サブシャーシ１８またはメインシャーシ５０に配されている。メインシャーシ５０は機器に固定され、サブシャーシ１８はメインシャーシ５０に対して矢印ＡまたはＢに示す方向へスライド可能に配されている。さらに具体的には、サブシャーシ１８は、メインシャーシ５０の上部空間内をスライド可能である。
【００３２】
サブシャーシ１８は、溝部１８ａ、Ｓリール台２０、Ｔリール台２２、テンションアーム２４、テンションアーム軸２６、テンションバンド３０、Ｔ３ポストアーム５８、および回動軸５９を備えている。また、メインシャーシ５０は、Ｓボート３２、Ｔボート３４、ガイド溝４２、ガイド溝４４、シリンダ４６、カム溝５１、キャプスタン軸５６、ローディングモータ５２、ハウジング７２，ステータ７４、背面壁７８、およびビス８０を備えている。また、サブシャーシ１８は、カセット１０を着脱可能である。また、サブシャーシ１８は、メインシャーシ５０の両サイドに形成されているガイド部（図示せず）によってガイドされ、矢印ＡまたはＢ方向にスライド可能となっている。
【００３３】
溝部１８ａは、サブシャーシ１８がローディング位置にある時に、Ｔ３ポスト６０の位置近傍に形成された縦壁１８ｃに形成された、側面視で略Ｖ字形状の溝である。また、溝部１８ａは、図４に示すように、少なくともＴ３ポストアーム５８に形成されている位置決め部５８ａを嵌合可能な溝幅Ｙを有するスリット部１８ｂが形成されている。また、溝部１８ａは、図４に示すようにサブシャーシ１８の主面に対して略垂直に立設された縦壁１８ｃに、略水平方向に形成されている。なお、位置決め部材は、溝部１８ａ、スリット部１８ｂ、および縦壁１８ｃで構成されている。
【００３４】
Ｓリール台２０及びＴリール台２２は、サブシャーシ１８上に回転自在に配され、カセット１０をサブシャーシ１８に装着した際に、カセット１０に配されているＳリール１３及びＴリール１９と係合する。また、Ｓリール台２０及びＴリール台２２は、別途配されているモータなどの駆動源から供給される駆動力によって、所定回転数にて回転される。したがって、Ｓリール台２０及びＴリール台２２にＳリール１３及びＴリール１９が係合されている状態で駆動力が伝達されると、Ｓリール１３またはＴリール１９を回転させることができ、磁気テープ１２を走行させることができる。
【００３５】
テンションアーム２４は、サブシャーシ１８上に植立したテンションアーム軸２６に対して、回動自在に軸支されている。また、テンションアーム２４は、サブシャーシ１８が矢印Ａ方向にスライドするのに伴ってテンションアーム軸２６を中心に反時計回りに回動し、サブシャーシ１８が矢印Ｂ方向にスライドするのに伴ってテンションアーム軸２６を中心に時計回りに回動する。
【００３６】
テンションポスト２８は、テンションアーム２４の一端に配され、磁気テープ１２がカセット１０から引き出されている状態では磁気テープ１２が巻回されている。また、磁気テープ１２がカセット１０から引き出されている状態では、磁気テープ１２のテンション変動に伴ってテンションポスト２８に加わる押圧力が増減され、テンションアーム２４が時計回りまたは反時計回りに回動される。
【００３７】
テンションバンド３０は、一端がサブシャーシ１８に固定され、他端がテンションアーム２４に固定され、中間部分はＳリール台２０に巻装されている。よって、磁気テープ１２のテンションが上昇し、テンションアーム２４がテンションアーム軸２６を中心に時計回りに回動されると、Ｓリール台２０への制動力を弱め、磁気テープ１２のテンションが下がり、テンションアーム２４がテンションアーム軸２６を中心に反時計回りに回動されると、Ｓリール台２０への制動力が強くなる。したがって、磁気テープ１２のテンションに応じて、Ｓリール台２０の回転トルクを制御することができる。
【００３８】
Ｓボート３２、Ｔボート３４は、それぞれカセット１０内から磁気テープ１２を引き出す部材であり、Ｓボート３２にはＳ１ポスト３６が配され、Ｔボート３４にはＴ１ポスト３８及びＴ２ポスト４０が配されている。また、Ｓボート３２は、ガイド溝４２に案内されて、シリンダ４６の図中左側を円筒面に沿って移動される。また、Ｔボート３４は、ガイド溝４４に案内されて、シリンダの図中右側を円筒面に沿って移動される。したがって、図１に示すアンローディング状態から図３に示すローディング状態に至るまでに、ガイド溝４２及び４４に沿って磁気テープ１２をカセット１０から引き出し、シリンダ４６の円筒面に巻装する。また、シリンダ４６に巻装された磁気テープ１２をカセット１０内に戻す際は、Ｓボート３２及びＴボート３４とガイド溝４２及び４４に沿ってカセット１０内へ移動させる。
【００３９】
シリンダ４６は、略円筒形状でかつアルミニウムなどの金属や樹脂で形成され、メインシャーシ５０に固定されている固定シリンダと、固定シリンダに同軸かつ回転自在に配されている回転シリンダとから構成されている。回転シリンダには、シリンダ４６に巻回された磁気テープ１２に対して、映像音声信号などを記録または再生可能な磁気テープが配されている。
【００４０】
カム溝５１は、メインシャーシ５０に形成され、Ｔ３ポストアーム５８に形成されているカムピン６１が移動自在に嵌合されている。したがって、サブシャーシ１８がアンローディング位置から矢印Ａ方向へスライドすることで、カム溝５１によってカムピン６１が移動し、Ｔ３ポストアーム５８を時計回りに回動させることができる。
【００４１】
ローディングモータ５２は、ギア列（不図示）を介してサブシャーシ１８をスライド動作させるための駆動源である。
【００４２】
キャプスタン５４は、ハウジング７２にモータのステータ７４が固定され、ロータ（図示せず）が取り付けられたキャプスタン軸５６が回転自在に軸承されている。また、キャプスタン５４は、メインシャーシ５０の背面に絞り加工で構成された背面壁７８に、ビス８０でハウジング７２が固定されている。キャプスタン軸５６は、ピンチローラ（不図示）とともに磁気テープ１２を挟持し、自身が回転駆動されることで挟持している磁気テープ１２を走行させることができる。
【００４３】
Ｔ３ポストアーム５８は、サブシャーシ１８に形成されている回動軸５９に回動自在に軸承されている。また、Ｔ３ポストアーム５８は、サブシャーシ１８が矢印Ａ方向にスライドするのに伴って、回動軸５９を中心に時計回りに回動され、サブシャーシ１８が矢印Ｂ方向にスライドするのに伴って、回動軸５９を中心に反時計回りに回動される。
【００４４】
位置決め部５８ａは、Ｔ３ポストアーム５８のＴ３ポスト６０近傍に形成され、少なくともサブシャーシ１８に形成されている溝部１８ａに嵌合可能な厚さを有している。また、位置決め部５８ａは、Ｔ３ポストアーム５８がサブシャーシ１８の矢印Ａ方向に移動するのに伴い、回動軸５９を中心に時計回りに回転した際、溝部１８ａに挟み込まれ、上下の位置決めがなされる。位置決め部５８ａは、本実施の形態ではＴ３ポストアーム５８の主要部分の厚さと同じ厚さで形成したが、Ｔ３ポストアーム５８の主要部分よりも薄く形成してもよい。このように形成することで、溝部１８ａの溝幅を小さくすることができサブシャーシ１８を小型化することができるとともに、Ｔ３ポストアーム１８の主要部分の厚さは薄くしないため曲げ強度を確保できる。
【００４５】
Ｔ３ポスト６０は、Ｔ３ポストアーム５８の一端に配されている。Ｔ３ポスト６０は、磁気テープ１２のテープパス内に位置し、サブシャーシ１８がアンローディング位置からローディング位置に向かってスライドする際に、磁気テープ１２をカセット１０内から引き出す。また、Ｔ３ポスト６０は、ローディング位置にある時、キャプスタン軸５６に対して出側（Ｔリール側）に位置する。また、Ｔ３ポスト６０は、磁気テープ１２が巻回される円筒部の上端及び下端にフランジ部が形成され、フランジ部は磁気テープ１２の上下方向の位置を規制している。
【００４６】
カムピン６１は、Ｔ３ポストアーム５８の他端において、下方向に突出して配されている。また、カムピン６１は、メインシャーシ５０に構成されたカム溝５１と係合しており、前記サブシャーシ１８が矢印Ａ方向に移動して図３に示すロード完了状態に移行する際、Ｔ３ポストアーム５８を時計回りに回動させて先端のＴ３ポスト６０が磁気テープ１２をカセット１０から引き出し、キャプスタン軸５６に巻装させる。
【００４７】
以下、動作について説明する。
【００４８】
まず、図１Ａ及び図１Ｂに示すアンローディング状態から、図３Ａ及び図３Ｂに示すローディング状態に移行する動作について説明する。サブシャーシ１８が図１Ａ及び図１Ｂに示すアンローディング位置にある時に、カセット１０がサブシャーシ１８に装着され、Ｓリール１３及びＴリール１９がそれぞれＳリール台２０及びＴリール台２２に係合されている状態で、ローディングモータ５２が作動することによって、ローディングモータ５２で発生した駆動力がギア列を介してサブシャーシ１８に伝達される。サブシャーシ１８は、伝達される駆動力によって、図１Ａ及び図１Ｂに示すアンローディング位置から矢印Ａ方向へスライドを開始する。
【００４９】
サブシャーシ１８のスライド動作に伴って、テンションアーム２４がテンションアーム軸２６を中心に反時計回りへ回動される。また、Ｔ３ポストアーム５８が時計回りへ回動される。なお、Ｔ３ポストアーム５８の詳しい動作については後述する。また、Ｓボート３２及びＴボート３４が、ガイド溝４２及び４４に案内されてシリンダ４６の円筒面に沿って移動を開始し、Ｓ１ポスト３６とＴ１ポスト３８とＴ２ポスト４０とが磁気テープ１２をカセット１０内から引き出し、シリンダ４６の円筒面に巻き始める。これらの動作によって、カセット１０内に位置している磁気テープ１２を引き出すことができる。引き出す途中の状態を図２Ａ及び図２Ｂに示す。
【００５０】
図２Ａ及び図２Ｂに示す状態から、さらにサブシャーシ１８を矢印Ａ方向へスライドさせると、図３Ａ及び図３Ｂに示すようにＳボート３２及びＴボート３４はガイド溝４２及び４４の端部に達する。また、Ｓ１ポスト３６とＴ１ポスト３８とＴ２ポスト４０とは、磁気テープ１２をシリンダ４６の円筒面に巻回する。また、Ｔ３ポスト６０が背面壁７８の近傍まで移動することで、Ｔ２ポスト４０とＴ３ポスト６０とで磁気テープ１２をキャプスタン軸５６に巻回する。キャプスタン軸５６は、ピンチローラ（不図示）とともに磁気テープ１２を挟持する。
【００５１】
図３Ａ及び図３Ｂに示すローディング状態において、磁気テープ１２に映像音声信号などの各種情報信号を記録する際は、Ｔリール台２２とキャプスタン軸５６を回転駆動させて磁気テープ１２を走行させるとともに、シリンダ４６を所定の回転数で回転させる。そして、シリンダ４６の回転シリンダに配されている磁気ヘッド（不図示）を磁気テープ１２の表面に摺接させて、磁気ヘッドを通電することによって、磁気テープ１２に情報を記録することができる。なお、磁気テープ１２に記録されている情報を再生する際は、上記記録時と同様に磁気テープ１２をシリンダ４６に巻回し、シリンダ４６を回転させて磁気ヘッドを通電し、磁気ヘッドで磁気テープ１２における磁束の変動を検出することによって、再生信号を得ることができる。
【００５２】
図３Ａ及び図３Ｂに示すローディング状態から図１Ａ及び図１Ｂに示すアンローディング状態へ移行させる際は、上記動作と逆手順にて行われる。すなわち、ローディングモータ５２を逆転させて、サブシャーシ１８が矢印Ｂ方向へスライドさせることによって、テンションアーム２４やＴ３ポストアーム５８などの可動部品が、図１Ａ及び図１Ｂに示す位置へ移動する。
【００５３】
次に、Ｔ３ポストアーム５８の動きについて説明する。
【００５４】
図１Ａ及び図１Ｂにおいて、アンローディング位置にあるＴ３ポストアーム５８は、Ｔ３ポスト６０がカセット１０の磁気テープ１２の手前（すなわちテープパス内）に配置されている。この状態からサブシャーシ１８がローディングモータ５２から伝達される駆動力により矢印Ａ方向に移動すると、これに伴いＴ３ポストアーム５８は、回動軸５９を中心に時計回りに回動して、磁気テープ１２をカセット１０内から引き出し、図２Ａ及び図２Ｂに示す状態に至る。Ｔ３ポストアーム５８の回動動作は、カムピン６１がカム溝５１に嵌合されていることにより制御される。
【００５５】
図２Ａ及び図２Ｂの状態において、Ｔ３ポストアーム５８の位置決め部５８ａは、略Ｖ字形状の溝部１８ａの間にガイドされ、スリット部１８ｂに嵌合される。スリット部１８ｂに嵌合された位置決め部５８ａは、上下方向（サブシャーシ１８の稜線方向）の位置規制がなされている。この状態における矢印Ｃ方向矢視図を図４に示す。図４に示すように、サブシャーシ１８に形成された溝部１８ａのスリット部１８ｂに、Ｔ３ポストアーム５８の位置決め部５８ａ部が挿入されることで、Ｔ３ポストアーム５８がサブシャーシ１８に対して位置決めされる。なお、スリット部１８ｂの溝幅Ｙは、位置決め部５８ａの厚さよりも僅かに大きく形成されているが、位置決め部５８ａがスリット部１８ｂに嵌合された際に位置決め部５８ａの上面及び下面がスリット部１８ｂの上下内面に当接するような寸法に形成されていることで、位置決め部５８ａを確実にサブシャーシ１８に保持することができる。
【００５６】
図２Ａ及び図２Ｂに示す状態から更にサブシャーシ１８が矢印Ａ方向に移動し、図３Ａ及び図３Ｂに示すローディング完了状態に至ると、Ｔ３ポスト６０は所定の位置（磁気テープ１２が走行できる位置）に至り、磁気テープ１２はシリンダ４６及びキャプスタン軸５６に巻回され、磁気記録再生が可能な状態となる。なお、ローディング完了状態において、位置決め部５８ａの先端がスリット部１８ｂを経て、縦壁１８ｃのスリット底部１８ｄに当接するように構成することで、位置決め部５８ａを上下方向のみならず水平方向（サブシャーシ１８の面方向）に対しても位置規制することができる。
【００５７】
以上のように本実施の形態では、Ｔ３ポストアーム５８はロード途中（図２Ａ及び図２Ｂに示す状態）において、既にサブシャーシ１８に形成されている溝部１８ａにより位置決め部５８ａが保持されている。従って、ローディング途中に磁気テープ１２のテンションが上がり、Ｔ３ポスト６０に大きな力が加わった際にも、Ｔ３ポストアーム５８の先端が溝部１８ａによって位置決め保持されているため、Ｔ３ポスト６０やＴ３ポストアーム５８の変形を防ぐことができる。
【００５８】
また、ローディング途中からＴ３ポストアーム５８の先端を保持することにより、この間のＴ３ポスト６０の傾きや高さ位置を精度良く保持することができ、磁気テープ１２におけるテープダメージを回避することができる。
【００５９】
また、Ｔ３ポスト６０の傾きや高さ位置を精度良く保持することができるので、Ｔ３ポスト６０やＴ３ポストアーム５８の傾き調整や高さ調整を行う必要性がなくなり、調整に必要なコストを削減することができる。
【００６０】
なお、溝部１８ａは、必ずしもＶ字形状にする必要はなく、略Ｕ字形状などのように他の形状であっても同様に機能する。少なくとも、位置決め部５８ａを保持可能な形状や寸法で形成されていればよい。
【００６１】
また、位置決め部５８ａの先端（溝部１８ａに挿入される際に、最初に挿入される部分）は矩形としたが、Ｖ字形状とすることで位置決め部５８ａが溝部１８ａに確実に挿入させることができる。
【産業上の利用可能性】
【００６２】
本発明の磁気記録再生装置は、磁気テープを情報媒体として利用する装置に有用であり、ビデオカメラ、ビデオテープレコーダーなどに有用である。
【図面の簡単な説明】
【００６３】
【図１Ａ】実施の形態１における磁気記録再生装置の平面図（アンロード状態）
【図１Ｂ】実施の形態１における磁気記録再生装置の側面図（アンロード状態）
【図２Ａ】実施の形態１における磁気記録再生装置の平面図（ロード途中状態）
【図２Ｂ】実施の形態１における磁気記録再生装置の側面図（ロード途中状態）
【図３Ａ】実施の形態１における磁気記録再生装置の平面図（ロード完了状態）
【図３Ｂ】実施の形態１における磁気記録再生装置の側面図（ロード完了状態）
【図４】実施の形態１における磁気記録再生装置のＣ方向矢視図（ロード途中状態）
【図５】従来の磁気記録再生装置の平面図（アンロード状態）
【図６】従来の磁気記録再生装置の平面図（ローディング状態）
【図７】従来の磁気記録再生装置の側面図（アンロード状態）
【図８】従来の磁気記録再生装置の側面図（ローディング状態）
【図９】従来の磁気記録再生装置の要部平面図（ローディング状態）
【図１０】従来の磁気記録再生装置の要部側面図（ローディング状態）
【図１１】従来の磁気記録再生装置の要部側面図（ローディング状態）
【符号の説明】
【００６４】
１０  テープカセット
１２  磁気テープ
１８  サブシャーシ
１８ａ  Ｖ溝
４６  シリンダ
５０  メインシャーシ
５１  Ｔ３ポストアームガイド溝
５８  Ｔ３ポストアーム
５８ａ  位置決め部
５９  Ｔ３ポストアーム支軸
６０  Ｔ３ポスト
６１  カムピン
【図１Ａ】
2008217849.tif 000003
【図１Ｂ】
2008217849.tif 000004
【図２Ａ】
2008217849.tif 000005
【図２Ｂ】
2008217849.tif 000006
【図３Ａ】
2008217849.tif 000007
【図３Ｂ】
2008217849.tif 000008
【図４】
2008217849.tif 000009
【図５】
2008217849.tif 000010
【図６】
2008217849.tif 000011
【図７】
2008217849.tif 000012
【図８】
2008217849.tif 000013
【図９】
2008217849.tif 000014
【図１０】
2008217849.tif 000015
【図１１】
2008217849.tif 000016